【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
皮膚、粘膜、毛髪及び／又は爪の処置及び／又はケアのための、寄託番号ＣＮＣＭ  Ｉ−４１５０を有するシュードアルテロモナス属（Ｐｓｅｕｄｏａｌｔｅｒｏｍｏｎａｓ  ｓｐ．）の菌株から単離されたエキソ多糖。
【請求項２】
請求項１に記載のエキソ多糖において、前記処置及び／又はケアが、前記皮膚、粘膜、毛髪及び／又は爪の老化の処置及び／又は予防であることを特徴とするエキソ多糖。
【請求項３】
請求項２に記載のエキソ多糖において、前記皮膚の老化の処置及び／又は予防が、前記皮膚上の皺の処置及び／又は予防であることを特徴とするエキソ多糖。
【請求項４】
請求項１に記載のエキソ多糖において、前記処置及び／又はケアが、前記皮膚、粘膜、毛髪及び／又は爪の水和の不足又は低下の結果である疾患、状態及び／又は疾病の処置及び／又はケアであることを特徴とするエキソ多糖。
【請求項５】
請求項４に記載のエキソ多糖において、前記状態、疾患及び／又は疾病が、乾燥肌、乾燥症、角化症、反応性角化症、手掌及び足底角化症、鶏眼及びカルス、日光角化症、非−日光角化症、アトピー性皮膚炎、接触性湿疹、脂漏性皮膚炎、フケ、乳児上の乳痂、ざ瘡、酒さ、母斑、魚鱗癬、乾癬、不全角化、粃糠疹、扁平苔癬、掌蹠角化症、唇あれ、膣乾燥症、眼球乾燥症、乾燥毛髪、脆弱な毛髪及び爪により形成される群から選択されることを特徴とするエキソ多糖。
【請求項６】
請求項１乃至５の何れか一項に記載のエキソ多糖において、１００〜８００，０００Ｄａの分子量を有することを特徴とするエキソ多糖。
【請求項７】
請求項１乃至６の何れか１項に記載のエキソ多糖において、化学修飾を含むことを特徴とするエキソ多糖。
【請求項８】
請求項１乃至７の何れか１項に記載のエキソ多糖において、少なくとも４種の異なる中性単糖類及び２種の異なる酸性単糖類を含み、前記中性単糖類が、マンノース、ブドウ糖、ガラクトース及びＮ−アセチルグルコサミンであり、前記酸性単糖類が、グルクロン酸及びガラクツロン酸であることを特徴とするエキソ多糖。
【請求項９】
請求項８に記載のエキソ多糖において、百分率の合計が１００％を超えない条件にて、重量で３％〜１２％のマンノース、１２％〜３４％のブドウ糖、１２％〜３４％のグルクロン酸、２％〜２０％のガラクツロン酸、１２％〜３４％のガラクトース及び２％〜１８％のＮ−アセチルグルコサミンからなる組成物をもたらすことを特徴とするエキソ多糖。
【請求項１０】
請求項８乃至９の何れか１項に記載のエキソ多糖において、更にラムノースを含むことを特徴とするエキソ多糖。
【請求項１１】
有効な美容又は皮膚医薬量の請求項１乃至１０の何れか１項に記載のエキソ多糖と、少なくとも１種の美容的又は皮膚医薬的に許容し得る賦形剤、補助剤及び／又は成分とを含有することを特徴とする美容又は皮膚医薬組成物。
【請求項１２】
請求項１１に記載の美容又は皮膚医薬組成物において、前記エキソ多糖が、美容的又は皮膚医薬的に許容し得る送達システム又は徐放システムに組み込まれることを特徴とする美容又は皮膚医薬組成物。
【請求項１３】
請求項１１乃至１２の何れか１項に記載の美容又は皮膚医薬組成物において、タルク、ベントナイト、シリカ、澱粉及びマルトデキストリンにより形成される群から選択される固体有機ポリマー又は固体無機物担体上に吸収されることを特徴とする美容又は皮膚医薬組成物。
【請求項１４】
請求項１１乃至１２の何れか１項に記載の美容又は皮膚医薬組成物において、前記組成物が、多層乳剤、水中油及び／又はシリコーンの乳剤、油及び／又はシリコーン中水の乳剤、水／油／水又は水／シリコーン／水タイプの乳剤、及び油／水／油又はシリコーン／水／シリコーンタイプの乳剤、マイクロエマルション、乳剤及び／又は溶液、液晶、無水組成物、無水分散物、油、乳液、バルサム、フォーム、水性又は油性ローション、水性又は油性ジェル、クリーム、水性アルコール溶液、水性グリコール溶液、ヒドロゲル、リニメント、美容液（ｓｅｒａ）、石鹸、シャンプー、コンディショナー、フェースマスク、毛髪スプレー、美容液（ｓｅｒｕｍｓ）、多糖フィルム、軟膏、ムース、ポマード、ペースト、パウダー、バー、ペンシル、スプレー又はエアゾルにより形成される群から選択される調製物中に、またはカプセル剤、ゼラチンカプセル剤、軟カプセル剤、硬カプセル剤、錠剤、散剤、顆粒、チューインガム、液剤、縣濁剤、乳剤、シロップ剤、多糖フィルム、ゼリー又はゼラチンにより形成される群から選択される経口投与用の調製物中に存在することを特徴とする美容又は皮膚医薬組成物。
【請求項１５】
請求項１１乃至１４の何れか１項に記載の美容又は皮膚医薬組成物において、前記賦形剤、補助剤及び／又は成分が、中でも、アセチルコリン受容体クラスタリングを阻害する薬剤、筋収縮阻害剤、抗コリン剤、エラスターゼ阻害剤、マトリックスメタロプロテアーゼ阻害剤、メラニン合成刺激又は阻害剤、ホワイトニング剤又は脱色剤、着色促進剤、自己日焼け剤、抗老化剤、ＮＯ−シンターゼ阻害剤、５α−レダクターゼ阻害剤、リジル−及び／又はプロリルヒドロキシラーゼ阻害剤、酸化防止剤、フリーラジカルスカベンジャー及び／又は大気汚染に対抗する薬剤、反応性カルボニル種スカベンジャー、抗糖化剤、抗ヒスタミン剤、抗ウィルス剤、抗寄生虫剤、乳化剤、皮膚軟化剤、有機溶媒、液体噴射剤、皮膚コンディショナー、湿潤剤、水分を保持する物質、αヒドロキシ酸、βヒドロキシ酸、保湿剤、上皮加水分解酵素、ビタミン、アミノ酸、タンパク質、ピグメント又は着色剤、色素、ゲル化ポリマー、増粘剤、界面活性剤、柔軟剤、抗皺／抗老化剤、眼下の腫れを低減又は処置することが可能な薬剤、剥脱剤、剥離剤、角質溶解剤、抗菌剤、抗真菌剤、静真菌剤、殺菌剤、静菌剤、真皮若しくは上皮巨大分子の合成を刺激し、及び／又は、真皮若しくは上皮巨大分子の分解を阻害若しくは予防することが可能な薬剤、コラーゲン合成刺激剤、エラスチン合成刺激剤、デコリン合成刺激剤、ラミニン合成刺激剤、デフェンシン合成刺激剤、アクアポリン合成刺激剤、ヒアルロン酸合成刺激剤、フィブロネクチン合成刺激剤、サーチュイン合成刺激剤、シャペロン合成刺激剤、脂質及び角質層の構成成分の合成を刺激する薬剤、セラミド、脂肪酸、コラーゲン分解を阻害する薬剤、エラスチン分解を阻害する薬剤、カテプシンＧ等のセリンプロテアーゼを阻害する薬剤、線維芽細胞増殖を刺激する薬剤、角化細胞増殖を刺激する薬剤、脂肪細胞増殖を刺激する薬剤、メラニン細胞増殖を刺激する薬剤、角化細胞分化を刺激する薬剤、脂肪細胞分化を刺激する薬剤、アセチルコリンエステラーゼを阻害する薬剤、皮膚弛緩剤、グリコサミノグリカン合成刺激剤、抗角化症剤、コメド溶解剤、抗乾癬剤、ＤＮＡ修復剤、ＤＮＡ保護剤、安定剤、痒み止め剤、感受性皮膚の処置及び／又はケアのための薬剤、固化剤、密度向上剤、再構築剤、抗皮膚線条剤、結合剤、皮脂生成を調節する薬剤、脂肪分解剤又は脂肪分解を刺激する薬剤、抗セルライト剤、制汗剤、治癒を刺激する薬剤、コアジュバント治癒剤、再上皮化を刺激する薬剤、コアジュバント再上皮化剤、サイトカイン増殖因子、鎮静剤、抗炎症剤及び／又は鎮痛剤、麻酔剤、毛細血管循環及び／又は微小循環に作用する薬剤、血管新生を刺激する薬剤、血管透過性を阻害する薬剤、静脈治療剤、細胞代謝に作用する薬剤、真皮−表皮接合を改善する薬剤、毛髪成長を誘導する薬剤、毛髪成長阻害又は遅延剤、毛髪損失を遅延させる薬剤、芳香剤、キレート化剤、野菜抽出物、エッセンシャルオイル、海産物抽出物、生物発酵工程から得られた薬剤、無機塩、細胞抽出物及び日焼け止め、紫外Ａ及び／又はＢ光線に対して活性な有機又は無機光保護剤により形成される群から選択されることを特徴とする美容又は皮膚医薬組成物。